(57)【要約】【課題】貯湯式給湯機は省スペ−ス化でかつ貯湯量を多くするために縦形で背が高くなる傾向にあり、トラック運搬における作業性を改善することを目的としたものである。【解決手段】タンク２上部に固定された腕４−１とタンク２下部に固定された脚４により製品をトラックの荷台に横積みされた場合にも、タンクおよび外装筐体７にかかるストレスを分散させ、運搬時の衝撃が起因して発生する水漏れや外装筐体の変形を防止する構成としている。【選択図】　図１
2004144447.tif 000002
【特許請求の範囲】
【請求項１】
タンクと、タンク頂部に溶接した出湯管と、前記タンクの上部に固定された腕と、前記タンクの下部に固定された脚と、この脚に締結した脚固定具と、天板を有する略直方体の外装筐体と、包装用固定台を備え、前記腕と天板を固定するとともに、前記脚固定具と包装用固定台を固定する構成とし、横積みされたとき前記出湯管に応力が集中しないようにした貯湯式給湯機。
【請求項２】
タンクと天板を固定する腕は、タンクの面から外装筐体天面の１つの稜線近傍に斜めに固定する構成とした請求項１記載の貯湯式給湯機。
【請求項３】
タンクと天板を固定する腕は、硬質で熱伝導率の低い樹脂材料を用いて構成した請求項１または２記載の貯湯式給湯機。
【請求項４】
タンク上方の面に固定金具を有し、腕は上方よりネジにより固定できる構成とした請求項１ないし３のいずれか１項記載の貯湯式給湯機。
【請求項５】
タンクと天板を固定する腕は、左右対称形状の構成とした請求項１ないし４のいずれか１項記載の貯湯式給湯機。
【発明の詳細な説明】
【０００１】
【発明の属する技術分野】
本発明は、主として電気温水器など貯湯式給湯機に関するものである。
【０００２】
【従来の技術】
一般にこの種の製品は、図６に示すように、タンク２０とこのタンク２０に固定された３本の脚２１と底板２２と凸形のアシ２３と、略直方体の外装筐体２４により構成されており、重量物であるタンク２０はこの３本の脚２１により底板２２およびアシ２３に固定され、安定した状態を形成している。このタンク２０の全周には一定の厚みで断熱材２５が巻かれており加熱された温水を保温しており、タンク２０上部には出湯口２６が溶接されており、温水を供給できるようになっている。
【０００３】
この出湯口２６は、天板２７の中央孔２８にゴムブッシュ２９を介して貫通しており、雨水の侵入を防ぐとともに、外装筐体２４とタンク２０を保持することで地震などが発生した場合にタンク２０が容易に転倒しないようにしている。
【０００４】
また、この製品は包装部材として、包装用天カバー２６と、フォ−クリフトなどのリフト運搬が可能な棚部がある包装用固定台２７を有しており、アシ２３の接地部を包装用固定台２７の上にボルトおよびナットにより締結固定されるとともに、輪状の包装用バンド２８により、包装用天カバー２６と包装用固定台２７を上下方向より固定した構成で包装されている。
【０００５】
【発明が解決しようとする課題】
昨今、貯湯式給湯機の設置面積を小さくする要望がある一方で貯湯量を増やしたいという要望もあり、製品は縦形で背が高くなる傾向があり、これをトラックにて運搬する際には、荷台に横積みするというケ−スが増えている。
【０００６】
しかしながら、従来の構成では、トラックの荷台などに横積みされると、タンク下部は脚により底板および包装用固定台に固定されるが、タンク上部は出湯口のみを保持した構成であるため、輸送振動が加わると、出湯口にストレスが集中し、この出湯口の溶接部を破損したり、天板および外装筐体を変形させてしまうという課題があった。
【０００７】
加えて、出湯口が破損すると、ここより水漏れし、周辺に漏水の害を発生させてしまうだけでなく、大きな部品であるタンクを分解することも、溶接を伴う出湯口の修理も非常に困難であるという課題もあった。
【０００８】
【課題を解決するための手段】
本発明は上記課題を解決するために、タンクと、タンク頂部に溶接した出湯管と、前記タンクの上部に固定された腕と、前記タンクの下部に固定された脚と、この脚に締結した脚固定具と、天板を有する略直方体の外装筐体と、包装用固定台を備え、前記腕と天板を固定するとともに、前記脚固定具と包装用固定台を固定する構成とし、横積みされたとき前記出湯管に応力が集中しないようにしたものである。
【０００９】
上記発明によれば、電気温水器など縦形重量物の製品をトラックの荷台に横積みされた場合に輸送時の振動があっても、腕と天板を固定し、かつ脚固定具と包装用固定台を固定する構成としているため、タンクの重みを上記２カ所の固定部に分散することができ、出湯管にストレスが集中しない構成となり、出湯管の溶接部が破損することは起こらなくなって、水漏れの発生で周辺に漏水の害を発生させてしまうことはなくなり、困難なタンクの修理も必要なくなる。
【００１０】
【発明の実施の形態】
本発明の請求項１に記載した貯湯式給湯機は、タンクと、タンク頂部に溶接した出湯管と、前記タンクの上部に固定された腕と、前記タンクの下部に固定された脚と、この脚に締結した脚固定具と、天板を有する略直方体の外装筐体と、包装用固定台を備え、前記腕と天板を固定するとともに、前記脚固定具と包装用固定台を固定する構成とし、横積みされたとき前記出湯管に応力が集中しないようにしている。
【００１１】
そして、電気温水器など縦形重量物の製品をトラックの荷台に横積みされた場合に輸送時の振動があっても、出湯管にストレスが集中しない構成となり出湯管の溶接部が破損することは起こらなくなって、水漏れの発生で周辺に漏水の害を発生させてしまうことはなくなり、困難なタンクの修理も必要なくなる。
【００１２】
また、請求項２に記載した貯湯式給湯機は、タンクと天板を固定する腕は、タンクの面から外装筐体天面の１つの稜線近傍に斜めに固定する構成としている。
【００１３】
そして、電気温水器など縦形重量物の製品をトラックの荷台に横積みされる場合は、包装部材の表示などにより、下にされる面はほぼ一定であることから、この面に接する天板の陵近傍に上部の脚を固定する事で、脚より天板にかかるストレスが軽減できるだけでなく、脚を斜めに構成することで形状強度が向上する。出湯管にかかるストレスを分散することで外装筐体にかかるストレスは増加することになるが、こうした構成により外装筐体の変形を防止することができる。
【００１４】
また、請求項３に記載した貯湯式給湯機は、タンクと天板を固定する腕は、硬質で熱伝導率の低い樹脂材料を用いた構成としている。
【００１５】
例えば、結晶化率の高い樹脂材料を用いることで、製品輸送時などタンク内に水が入っていない場合のストレスに耐える強度を持ちながら、製品を設置して温水を貯湯する場合には、タンク上部の熱を上方から放熱しにくくして貯湯式給湯機としての保温効率を維持することが可能となる。
【００１６】
また、請求項４に記載した貯湯式給湯機は、タンク上方の面に固定金具を有し、腕は上方よりネジにより固定できる構成としている。
【００１７】
そして、製品組立てる際にタンクと外装筐体の底部を組立てた後、タンクや脚などの仕上がり寸法のバラツキなどで、タンク上部と天板の位置関係がズレた場合でも、天板側である上方より、固定位置を調節しながら腕と天板が取付けられ、製品の組み立てが容易になる。
【００１８】
また、請求項５に記載した貯湯式給湯機は、タンクと天板を固定する腕は、左右対称形状の構成としている。
【００１９】
そして、斜めに固定する腕を線対称位置に２箇所そなえる場合にも、同一部品である腕を２個使用する事で対応することができ、部品作成にまつわる金型などの設備や工数を増やすことなく、製品として２倍以上の強度が確保できる。
【００２０】
【実施例】
（実施例１）
以下、この発明の一実施例について図面を参照して説明する。図１は本発明の実施例１の貯湯式給湯機の断面図、図２は同貯湯式給湯機の横積みされた状態の断面図、図３は同貯湯式給湯機の斜視図である。
【００２１】
図１において、１は電気温水器の本体であり、２はタンク、３はタンク２に溶接された脚金具、４は前記脚金具３にボルトで固定された脚、５は底板、６は底板５を挟み込んで脚４と締結した凸形の脚固定具、７は略直方体の外装筐体であり、上記構成により設置状態において、重量物であるタンク２は底板の強度に関係なく安定した状態を形成している。
【００２２】
また、タンク２の底部には給水口８が溶接され、タンク２の内部にはヒーター９とこのヒーター９を制御する加熱制御手段９−１があり、タンク２の頂部には出湯管１０が溶接され、天板１１を貫いて上方に出ており、給水および給湯の配管接続することにより、給水した水を加熱し温水として貯え、必要な時に出湯口より温水を供給する給湯機の役割を果たしている。１２は断熱材であり、予め加熱した温水を必要となるまで保温して貯えることができるようになっている。
１３はゴムブッシュであり、出湯口１０と天板１１の隙間を埋め、雨水が内部に侵入しないよう配慮している。
【００２３】
タンク２の上方には、さらに腕金具３−１があって脚４とは長さの異なる腕４−１が上方に取付けられ天板ねじ１１−１により天板１１と固定されている。
【００２４】
またこの本体１は包装部材で包装され、運搬作業が容易になるようにしているが、その構成は、木枠製の包装用固定台１４がアシ６にボルトとナットで締結され、包装用固定台１４上面には本体１の縦の稜線に密着して紙管柱１５がセットされ、さらにその上方より包装用天カバー１６をかぶせて輪状の包装用バンド１７により、全体を締結され、包装完成状態を形成している。
【００２５】
昨今、貯湯式給湯機の設置面積を小さくする要望がある一方で貯湯量を増やしたいという要望もあり、製品は縦形で背が高くなっている傾向があり、これをトラックにて運搬する際には、荷台に横積みするというケ−スが増えている。
【００２６】
そして、図２に示すように、本体１をトラックの荷台などに横積みした場合、最も重量のあるタンク２は脚４によって、アシ６および包装用固定台１４と、腕４−１によって天板１１に固定されており、さらに本体１は包装用固定台１４と紙管柱１５と包装用天カバー１６により床面に対して保護されるようになっており、輸送振動が加わったとしても、出湯管１０に応力が集中するようにはならず、出湯管１０の溶接部が破損して水漏れが発生したりすることがない。
【００２７】
また、面積の小さい天板についてのみ、板厚を増したりヒード加工するなどの補強をすれば、運搬中に大きな衝撃があったとしても、外装筐体である側板が変形することによる外観不良を低減することができる。
【００２８】
また、天板１１には電気温水器本体１を手で掴み搬送できるようトッテ１１−２があってもよく、更にトッテ１１−２と腕４−１は天板１１を挟んで天板ねじ１１−１により同時に締結されている。
【００２９】
そして、トッテ１１−２を手で掴み電気温水器本体１を搬送する場合に、振動や変形によってタンク２と外装筐体７の位置関係が大きく変わることがなく、搬送性がいいだけでなく、外装筐体７の変形も防止できる。
【００３０】
また、電気温水器本体１を設置する際に、Ｌ型形状の耐震固定金具７−１をこのトッテ１１−２の位置に天板ねじ１１−１により締結することも可能であり、地震の際に、外装筐体７がいかに変形しようと関係なく直接タンク２を保持できる構成となるため、耐震強度を向上させることができる。
【００３１】
（実施例２）
図４は本発明の実施例２の貯湯式給湯機の断面図、図５は同貯湯式給湯機の上方からみた断面図である。
【００３２】
図４、図５において、１は電気温水器の本体であり、タンク２とタンク２の頂部には出湯口１０が溶接され、天板１１を貫いて上方に出ており、給水および給湯の配管接続することにより、給水した水を加熱し温水として貯え、必要な時に出湯口より温水を供給する給湯機の役割を果たしている。１２は断熱材であり、予め加熱した温水を必要となるまで保温して貯えることができるようになっている。
【００３３】
１３はゴムブッシュであり、出湯口１０と天板１１の隙間を埋め、雨水が内部に侵入しないよう配慮している。
【００３４】
タンク２の上方側面には腕金具１８が溶接されており、腕１９が上方よりねじ１９−１にて締結できるようになっており、腕１９は天板１１とも上方より天板ねじ１１−１にて締結できるようになっている。
【００３５】
腕１９は外装筐体７に対して斜めに固定されており、形状的に固定角度が変化しない構成で強度を確保し、製品輸送時の振動や衝撃で変形したり、タンク２と外装筐体７との位置関係がズレないようにしている。
【００３６】
さらに、腕１９は天板１１の側方稜線になる曲げ加工部近傍に固定されていること、またそれは外装筐体７の側板との固定部近傍でもあることから、変形しにくい構成となっており、この腕１９にかかる応力が確実に分散できる。
【００３７】
腕１９の上方には凹形状するなどした引掛け部１９−１があって、外装筐体７の後ろ板７−２の所定位置に引っかかるようになっており、タンク２の上方側面の腕金具１８とねじにて締結する際に、天板１１および後ろ板７−１の位置と腕１９の位置が矯正され、タンク２、脚４、底板５などの仕上がり寸法のバラツキが蓄積して生じるタンク上方部と天板１１との位置ズレをここで吸収するようにしている。
【００３８】
また、腕１９はＰＰＳ（ポリフェニレンサルフィド）樹脂など、結晶化率が高く硬質で、なおかつ耐熱性を持ち、金属より熱伝導率が十分低い材料により成形されており、タンク２内部に水が入っていない状態での製品輸送時のストレスに対し十分な強度を確保するだけでなく、タンク２が実際に温水を貯湯して使用される際には、上方より熱エネルギ−が逃げて行かないよう実使用時の熱効率を配慮した設計になっている。
【００３９】
さらに、腕１９は左右対称形であり、同一部品を線対称位置２箇所に斜めに固定することができるため、部品成形にまつわる金型などの設備を増やすことなく、製品として２倍以上の強度が確保できるという効果がある。
【００４０】
また、腕１９の外周部１９−１にはビ−ドがある断面形状をしており、腕１９そのものの強度を確保している。
【００４１】
また、天板１１には電気温水器本体１を手で掴み搬送できるようトッテ１１−２があってもよく、更にトッテ１１−２と腕４−１は天板１１を挟んで天板ねじ１１−１により同時に締結されている。
【００４２】
そして、トッテ１１−２を手で掴み電気温水器本体１を搬送する場合に、振動や変形によってタンク２と外装筐体７の位置関係が大きく変わることがなく、搬送性がいいだけでなく、外装筐体７の変形も防止できる。
【００４３】
また、電気温水器本体１を設置する際に、Ｌ型形状の耐震固定金具７−１をこのトッテ１１−２の位置に天板ねじ１１−１により締結することも可能であり、地震の際に、外装筐体７がいかに変形しようと関係なく直接タンク２を保持できる構成となるため、耐震強度を向上させることができる。
【００４４】
また、外装筐体７のヒーター９、加熱制御手段９−１を設けている面を前面とし、腕１９を天板１１に固定している近傍の側板面を後ろ面とし、包装部材、例えば包装用天カバ−に「横積みする際は後ろ面を下方にする」などの表示を付与すると、ユ−ザ−が荷扱い要領がわかりやすくなり、作業不良が起因しておこる不具合を防止することができる。
【００４５】
【発明の効果】
以上のように本発明の貯湯式給湯機によれば、電気温水器など縦形重量物の製品をトラックの荷台に横積みされた場合に輸送時の振動があっても、出湯管にストレスが集中しない構成となり出湯管の溶接部が破損することは起こらなくなって、水漏れの発生で周辺に漏水の害を発生させてしまうことはなくなり、困難なタンクの修理も必要なくなる。
【００４６】
また、本発明の包装部材によれば、電気温水器など縦形重量物の製品をトラックの荷台に横積みされる場合は、包装部材の表示などにより、下にされる面はほぼ一定であることから、この面に接する天板の陵近傍に上部の脚を固定する事で、脚より天板にかかるストレスが軽減できるだけでなく、脚を斜めに構成することで形状強度が向上する。出湯口にかかるストレスを分散することで外装筐体にかかるストレスは増加することになるが、こうした構成により外装筐体の変形を防止することができる。
【００４７】
また、製品輸送時などタンク内に水が入っていない場合のストレスに耐える強度を持ちながら、製品を設置して温水を貯湯する場合には、タンク上部の熱を上方から放熱しにくくして貯湯式給湯機としての保温効率を維持することが可能となる。
【００４８】
また、製品組立てる際にタンクと外装筐体の底部を組立てた後、タンクや脚などの仕上がり寸法のバラツキなどで、タンク上部と天板の位置関係がズレた場合でも、天板側である上方より、固定位置を調節しながら腕と天板が取付けられ、製品の組み立てが容易になる。
【００４９】
また、斜めに固定する腕を線対称位置に２箇所備える場合にも、同一部品である腕を２個使用する事で対応することができ、部品作成にまつわる金型などの設備や工数を増やすことなく、製品として２倍以上の強度が確保できる。
【図面の簡単な説明】
【図１】本発明の実施例１における貯湯式給湯機の断面図
【図２】同貯湯式給湯機が横積みされた状態の断面図
【図３】同貯湯式給湯機の斜視図
【図４】本発明の実施例２における貯湯式給湯機の詳細断面図
【図５】同貯湯式給湯機を上方から見た断面図
【図６】従来例の貯湯式給湯機の断面図
【符号の説明】
２　タンク
４　脚
４−１　腕
６　脚固定具
７　外装筐体
１０　出湯管
１１　天板
１４　包装用固定台
【図１】
2004144447.tif 000003
【図２】
2004144447.tif 000004
【図３】
2004144447.tif 000005
【図４】
2004144447.tif 000006
【図５】
2004144447.tif 000007
【図６】
2004144447.tif 000008